(57)【特許請求の範囲】
【請求項１】
複数のセクタで構成される記録領域を有する記録媒体に、前記記録媒体を回転させながら連続的なデータを記録するデータ記録方法において、
１つの前記セクタに記録されるデータ毎に、前記データを複数のブロックデータに分割し、
連続するブロックデータの一方を前記記録媒体の第１の位置に相当するセクタに記録した後に、前記連続するブロックデータの他方を、前記第１の位置に対して半径方向に２トラック離れ又はセンタ方向に１トラック離れ、且つ前記第１の位置から前記第２の位置へのシーク時間内に前記記録媒体が円周方向に回転した第２の位置に相当するセクタに記録する
データ記録方法。
【請求項２】
前記データを構成する先頭のブロックを、前記記録領域のうち半径方向の中央付近に位置するセクタに記録する
請求項１に記載のデータ記録方法。
【請求項３】
前記連続するブロックデータの一方が最外周あるは最内周の第１の位置に記録された場合を除いて、前記連続するブロックデータの他方を、前記第１の位置に対して半径方向に３つ以上のトラック離れた前記第２の位置に相当するセクタに記録する
請求項１に記載のデータ記録方法。
【請求項４】
複数のセクタで構成される記録領域を有する記録媒体に、前記記録媒体を回転させながら連続的なデータを記録するデータ記録装置において、
１つの前記セクタに記録されるデータ毎に、前記データを複数のブロックデータに分割し、
連続するブロックデータの一方を前記記録媒体の第１の位置に相当するセクタに記録した後に、前記連続するブロックデータの他方を、前記第１の位置に対して半径方向に２トラック離れ又はセンタ方向に１トラック離れ、且つ前記第１の位置から前記第２の位置へのシーク時間内に前記記録媒体が円周方向に回転した第２の位置に相当するセクタに記録する記録手段
を有するデータ記録装置。
【請求項５】
前記記録手段は、前記データを構成する先頭のブロックを、前記記録領域のうち半径方向の中央付近に位置するセクタに記録する
請求項４に記載のデータ記録装置
【請求項６】
前記記録手段は、前記連続するブロックデータの一方が最外周あるは最内周の第１の位置に記録された場合を除いて、前記連続するブロックデータの他方を、前記第１の位置に対して半径方向に３つ以上のトラック離れた前記第２の位置に相当するセクタに記録する
請求項４に記載のデータ記録装置。
【発明の詳細な説明】
【０００１】
【産業上の利用分野】
本発明は、ＭＯディスクなどの記録媒体に連続的なデータを記録するデータ記録方法およびその装置に関する。
【０００２】
【従来の技術】
例えば、コンピュータなどが、ＭＯディスクなどのディスク状の記録媒体にデータを記録する場合、記録媒体におけるデータが記録されていない未記録領域を所定の位置からリニアに検出するシーク動作が行われる。そして、検出された未記録領域にデータが記録される。このとき、記録すべきデータが連続的に位置する未記録領域に全て記録できない場合は、記録できなかった残りのデータが次に検出された記録領域に記録される。すなわち、一連のデータが分割され、複数の記録領域に記録される。
【０００３】
【発明が解決しようとする課題】
しかしながら、上述した従来のデータ記録方法では、例えば、データを、図６に示すディスク１の未記録領域２ａに対して内側から外側に向かって記録した後に、未記録領域２ｂに対して内側から外側に向かって記録しなければならない場合が生じる。この場合、記録ヘッドは、未記録領域２ａの最外周から未記録領域２ｂの最内周に向かって長距離移動しなければならず、アクセス時間が長期化するという問題がある。また、このようにしてデータが記録された場合には、再生時においても、再生ヘッドが長距離移動しなければならないという問題が生じる。
【０００４】
また、データ記録装置では、音響・映像信号のような連続したデータを記録する場合に、シーク動作中に入力したデータを一時的に蓄えるバッファメモリが必要となるが、シーク時間が長期化すると、それに応じた大きな記憶容量を持ったバッファメモリが必要になるという問題が生じる。この問題は、異なる記憶領域に記憶された一連のデータを連続して読み出す場合にも同様に生じる。
【０００５】
本発明は、上述した従来技術の問題点に鑑みてなされ、記録・再生時におけるヘッドのディスクへのアクセス時間を短縮できるデータ記録方法を提供することを目的とする。
また、本発明は、連続的なデータを記録・再生する際に、バッファメモリの記憶容量を縮小できるデータ記録方法を提供することを目的とする。
【０００６】
【課題を解決するための手段】
上述した問題を解決し、上述した目的を達成するために、第１の発明のデータ処理方法は、複数のセクタで構成される記録領域を有する記録媒体に、前記記録媒体を回転させながら連続的なデータを記録するデータ記録方法であって、１つの前記セクタに記録されるデータ毎に、前記データを複数のブロックデータに分割し、連続するブロックデータの一方を前記記録媒体の第１の位置に相当するセクタに記録した後に、前記連続するブロックデータの他方を、前記第１の位置に対して半径方向に２トラック離れ又はセンタ方向に１トラック離れ、且つ前記第１の位置から前記第２の位置へのシーク時間内に前記記録媒体が円周方向に回転した第２の位置に相当するセクタに記録する。
【０００７】
第２の発明のデータ処理装置は、複数のセクタで構成される記録領域を有する記録媒体に、前記記録媒体を回転させながら連続的なデータを記録するデータ記録装置であって、１つの前記セクタに記録されるデータ毎に、前記データを複数のブロックデータに分割し、連続するブロックデータの一方を前記記録媒体の第１の位置に相当するセクタに記録した後に、前記連続するブロックデータの他方を、前記第１の位置に対して半径方向に２トラック離れ又はセンタ方向に１トラック離れ、且つ前記第１の位置から前記第２の位置へのシーク時間内に前記記録媒体が円周方向に回転した第２の位置に相当するセクタに記録する記録手段を有する。
【０００８】
【作用】
本発明のデータ記録方法では、連続的なデータが、１つのセクタに記録されるデータ毎に複数のブロックデータに分割される。
そして、連続する前記ブロックデータが、半径方向に少なくとも２つのトラック離れた位置にあり、データバッファリングする時間に応じて前記記録媒体が円周方向に回転する位置に相当するセクタに記録される。
このように、ブロックデータを記録することで、例えば、最内周から最外周に向かう向きに記録ヘッドが記録領域の走査を行う場合に、連続するブロックデータのうち初めに走査されるブロックデータが最外周のブロック記録領域の末尾に記録され、次に走査される小データが最内周のブロック記録領域の先頭に記録されるという事態を回避できる。すなわち、連続するブロックデータを記録する際に、ヘッドが記録領域全体を走査しなければならない事態を回避でき、従来に比べて記録ヘッドの最大走査距離を短縮できる。
【０００９】
【実施例】
以下、本発明のデータ記録方法の実施例を用いたＷ／Ｒ装置（書き込み読み出し回路）について説明する。
第１実施例
まず、図１，２を参照して、図２に示す本実施例に係るＷ／Ｒ装置３０２が適用される映像信号用サーバーシステムおよびデータ蓄積装置３０ｉ  の構成を説明する。
【００１０】
図１は、本実施例に用いられる映像信号用サーバーシステムのブロック図である。
図１において、ディジタル化された入力映像信号Ｓ１０は、符号化能率可変な映像信号高能率符号化装置１０１  〜１０ｎ  にそれぞれ入力され、高能率符号化されて高能率符号化映像データＳ１１ａとなる。
各映像信号高能率符号化装置１０１  〜１０ｎ  における符号化能率については、同期システム制御実行装置１６による制御信号Ｓ１２により、あらかじめ設定されている。
また、高能率符号化装置１０１  〜１０ｎ  が入力映像信号Ｓ１０からクロックおよびフレームタイミングを抽出して内部で用いるものとすれば、結果的に映像信号用同期信号に同期して映像信号の入力を行うことが可能となる。
【００１１】
高能率符号化映像データＳ１１ａは、放送局用のルーティングスイッチャ等の回線交換装置１１に入力される。回線交換装置１１では、回線交換先が同期システム制御実行装置１６による制御信号Ｓ１３により設定されている。したがって、回線交換装置１１に入力された高能率符号化映像データＳ１１ａは、設定された経路をもって接続されたデータ蓄積装置３０１  〜３０ｎ  に、入力高能率符号化映像データＳ１１ｂとして伝搬される。
高能率符号化映像データＳ１１ｂは、同期システム制御実行装置１６による制御信号Ｓ１４によってそれぞれ個別に制御されるデータ蓄積装置３０１  〜３０ｎ  に記録される。
【００１２】
データ蓄積装置３０ｉ  （ｉ＝１〜ｎ）は、制御信号Ｓ１４を介した同期システム制御実行装置１６の制御に従い、図示しないデータ管理装置を用いて、映像信号高能率符号化装置１０１  〜１０ｎ  から回線交換装置１１を介して入力された入力高能率符号化映像データＳ１１ｂを記録し、記録した入力高能率符号化映像データＳ１１ｂを管理し、あるいは、上位応用システム１４を操作する編集者等により指定された入力高能率符号化映像データＳ１１ｂを再生し、再生高能率符号化映像データＳ１５ａとして回線交換装置１１に対して出力する。
【００１３】
再生高能率符号化映像データＳ１５ａは、記録時と同様に回線交換装置１１に入力される。回線交換装置１１では、回線交換先が同期システム制御実行装置１６による制御信号Ｓ１３により設定されている。したがって、回線交換装置１１に入力された再生高能率符号化映像データＳ１５ａは、設定された経路をもって接続された所定の映像信号復号装置１３１  〜１３ｎ  に、高能率符号化映像データＳ１５ｂとして伝搬される。
【００１４】
高能率符号化映像データＳ１５ｂは、映像信号復号装置１３１  〜１３ｎ  において、復元映像信号Ｓ１６に復号されシステム外、たとえば編集装置に出力される。
図１の例では、映像信号復号装置１３に制御信号は入力されていないが、これは通常この種の復号装置が符号化能率の変化に自動的に追従するように構成されているためである。
【００１５】
また、本システムの制御系に関しては、まず、単一または複数のコンピュータによって構成される上位応用システム１４から発せられる複数の独立した制御命令Ｓ１７ａが、ＬＡＮを経由して汎用の通信規約（プロトコル）に準拠した形で通常１台のコンピュータで構成される制御命令伝達装置１５に順次伝達される。制御命令伝達装置１５は、同期システム制御実行装置１６との通信を可能とするためのプロトコル変換を行って得られた制御命令Ｓ１７ｂを同期システム制御実行装置１６に伝達する。
【００１６】
図２は、図１に示したデータ蓄積装置３０ｉ  の構成を示す図である。
図２に示すように、データ蓄積装置３０ｉ  は、制御形式変換装置（ＣＮＶ）１２１およびディスク装置３２から構成され、ディスク装置３２は、書き込み読み出し回路（Ｗ／Ｒ装置）３０２、制御回路３０４およびメモリ回路３０６から構成される。
【００１７】
ベースバンドディジタル映像信号を伝送することが可能なデータ伝送用媒体によって伝送される高能率符号化映像データＳ１１ｂは、データおよび制御形式変換装置１２１に入力され、ディスク装置３２に入力可能な形式に変換される。
一方、ディスク装置３２から再生されたデータは、データおよび制御形式変換装置１２１に入力され、記録時と同等のデータ形式に変換され、ベースバンドディジタル映像信号を伝送することが可能なデータ伝送用媒体によって伝送される再生高能率符号化映像データＳ１５ａとなる。
このデータおよび制御形成変換装置１２１は、その制御形式が同期システム制御実行装置１６による制御信号Ｓ１４に応じて、ディスク装置３２を制御可能な形式に変換される。
【００１８】
Ｗ／Ｒ装置３０２は、制御回路３０４の制御に従って、ＭＯディスク４０を回転させ、ＣＮＶ１２１から入力された記録データＳ１２０をＭＯディスク４０に対して書き込み、あるいは、ＭＯディスク４０から記録データを読み出してＷ／Ｒ装置３０２に対して出力する。ここで、ＭＯディスク４０は、ＣＡＶ（Ｃｏｎｓｔａｎｔ  Ａｎｇｕｌａｒ  Ｖｅｌｏｃｉｔｙ）方式あるいはＭＣＡＶ方式の記録フォーマットを採用している。制御回路３０４は、制御信号Ｓ１４を介した同期システム制御実行装置１６の制御に従って、メモリ回路３０６に記憶されたデータ管理装置３４０の各プログラムを実行し、Ｗ／Ｒ装置３０２を制御してＭＯディスク４０に対する記録データの記録あるいは再生を行わせる。制御回路３０４によるＷ／Ｒ装置３０２の制御の詳細について後述する。
なお、データ蓄積装置３０ｉ  は、ＭＯディスク４０に対して、ブロック単位で記録データの書き込みおよび読み出し（アクセス）を行い、各ブロックのデータ長は、例えば１Ｋバイトである。
【００１９】
このような構成とすることにより、データおよび制御形式変換装置１２１とディスク装置３２は、通常データと制御信号が混在する汎用の接続線Ｓ１２０を介して接続することが可能であり、ディスク装置３２を用いた符号化映像データの記録再生が可能となる。
また、このような構成とすることにより、データ蓄積装置３０ｉ  は、ディスク装置３２の最大データ転送速度の範囲内で、記録再生速度を可変とすることも可能である。
【００２０】
以下、制御回路３０４からの制御に基づくＷ／Ｒ装置３０２における処理について詳細に説明する。
Ｗ／Ｒ装置３０２は、制御回路３０４からの制御信号Ｓ３０４に基づいて、制御形式変換装置１２１から接続線Ｓ１２０を介して入力した図３（Ａ）に示す映像データ２００を図４に示すＭＯディスク４０に図３（Ｂ），図４に示す所定のパターンで記録する。
【００２１】
Ｗ／Ｒ装置３０２は、制御回路３０４からの制御信号Ｓ３０４に基づいて、図３（Ａ）に示すように、映像データ２００をＡ１〜Ａ１０の映像ブロックデータに分割して記録を行う。
また、Ｗ／Ｒ装置３０２は、制御回路３０４からの制御信号Ｓ３０４に基づいて、図４に示すように、スパイラル状に２次元的に配置されたＭＯディスク４０の記録領域を、その記録領域の内周から外周に向かって分割したトラックに相当するＺ１〜Ｚ５のブロック記録領域に従って映像ブロックデータＡ１〜Ａ１０の記録を行う。ブロック記録領域Ｚ１〜Ｚ５は、ＭＯディスク４０の記録領域を３６０°の回転角度に対応して分割するように規定してある。
図３（Ｂ）、図４に示すように、Ｗ／Ｒ装置３０２は、連続した映像ブロックデータＡ１〜Ａ１０が隣または２つ離れたブロック記録領域Ｚ１〜Ｚ５に配置されるように映像データ２００の記録を行う。
【００２２】
すなわち、Ｗ／Ｒ装置３０２は、制御信号Ｓ３０４に基づいて、映像ブロックデータＡ１を最内周に位置するブロック記録領域Ｚ１に記録し、次の映像ブロックデータＡ２をブロック記録領域Ｚ１から２つ離れたブロック記録領域Ｚ３に記録し、次の映像ブロックデータＡ３をブロック記録領域Ｚ３から２つ離れたブロック記録領域Ｚ５に記録する。そして、Ｗ／Ｒ装置３０２は、映像ブロックデータＡ４をブロック記録領域Ｚ５の隣のブロック記録領域Ｚ４に記録し、映像ブロックデータＡ５をブロック記録領域Ｚ４から２つ離れたブロック記録領域Ｚ２に記録する。
このとき、映像ブロックデータは、映像ブロックデータをバッファリングする時間に応じて、ＭＯディスク４０が円周方向に回転する位置に相当するセクタに記録される。
【００２３】
映像ブロックデータＡ６〜Ａ１０は、前述した映像ブロックデータＡ１〜Ａ５と同じ要領でブロック記録領域Ｚ１〜Ｚ５に記録される。
【００２４】
上述したように、連続した映像ブロックデータを隣または２つ離れたブロック記録領域Ｚ１〜Ｚ５に配置して記録を行うことで、連続した映像ブロックデータの記録位置が最も離れるのは、映像ブロックデータＡ４がブロック記録領域Ｚ４の最後尾に配置され、映像ブロックデータＡ５がブロック記録領域Ｚ２の先頭に配置された場合である。このとき、Ｗ／Ｒ装置３０２が映像ブロックデータＡ４を記録した後に、映像ブロックデータＡ５を記録するまでの記録ヘッドの走査距離は、記録ヘッドがＭＯディスク４０の記録領域全体を走査する距離の３／５倍である。
【００２５】
そのため、本実施例のＷ／Ｒ装置３０２によれば、記録ヘッドが連続した映像ブロックデータを記録する際の最大の走査距離を、従来の最大の走査距離である記録領域全体を走査する距離の３／５倍に短縮できる。このように映像ブロックデータを記録領域のブロック記録領域に記録したことで、記録した映像データの再生を行い場合にも、再生ヘッドが連続した映像ブロックデータを走査する際の最大走査距離を従来の３／５倍に短縮できる。
【００２６】
また、このように連続する映像ブロックデータを記録および再生する際の最大走査距離を従来の３／５倍にできることから、映像データの連続性を保証するために用いられるバッファメモリの容量も３／５倍に縮小化できる。
【００２７】
第２実施例
本実施例のデータ記録方法は、図２に示すＷ／Ｒ装置３０２における処理のみが前述した第１実施例の場合と異なる。
本実施例では、図２に示す同一のＭＯディスク４０上に、図５（Ａ）に示すように、連続して記録および再生を行う異なる映像データ２００，２０１を記録する場合について説明する。
【００２８】
Ｗ／Ｒ装置３０２は、制御回路３０４からの制御信号Ｓ３０４に基づいて、図５（Ａ）に示すように、映像データ２００をＡ１〜Ａ１０の映像ブロックデータに分割し、映像データ２０１をＢ１〜Ｂ１０の映像ブロックデータに分割して記録を行う。
また、Ｗ／Ｒ装置３０２は、制御回路３０４からの制御信号Ｓ３０４に基づいて、図４に示すように、スパイラル状に２次元的に配置されたＭＯディスク４０の記録領域を、その記録領域の内周から外周に向かって分割したＺ１〜Ｚ５のブロック記録領域に従って映像ブロックデータＡ１〜Ａ１０，Ｂ１〜Ｂ１０の記録を行う。
図５（Ｂ）に示すように、Ｗ／Ｒ装置３０２は、連続した映像ブロックデータＡ１〜Ａ１０，Ｂ１〜Ｂ１０が隣または２つ離れたブロック記録領域Ｚ１〜Ｚ５に配置されるように映像データ２００，２０１の記録を行う。このとき、Ｗ／Ｒ装置３０２は、映像データ２００を構成する先頭の映像ブロックデータＡ１および映像データ２０１を構成する先頭の映像ブロックデータＢ１を、ＭＯディスク４０の記録領域の中央に位置するブロック記録領域Ｚ３に記録する。
【００２９】
すなわち、Ｗ／Ｒ装置３０２は、制御信号Ｓ３０４に基づいて、映像ブロックデータＡ１をＭＯディスク４０の記録領域の中央に位置するブロック記録領域Ｚ３に記録し、次の映像ブロックデータＡ２をブロック記録領域Ｚ３から２つ離れたブロック記録領域Ｚ５に記録し、次の映像ブロックデータＡ３をブロック記録領域Ｚ５の隣の記録領域Ｚ４に記録し、次の映像ブロックデータＡ４をブロック記録領域Ｚ４から２つ離れたブロック記録領域Ｚ３に記録し、次の映像ブロックデータＡ５をブロック記録領域Ｚ２の隣の記録領域Ｚ１に記録する。
映像ブロックデータＡ６〜Ａ１０は、前述した映像ブロックデータＡ１〜Ａ５と同じ要領でブロック記録領域Ｚ１〜Ｚ５に記録される。
また、映像ブロックデータＢ１〜Ｂ１０は、前述した映像ブロックデータＡ１〜Ａ１０と同じ要領で記録される。
【００３０】
本実施例のＷ／Ｒ装置３０２では、上述した要領で連続してアクセスを行う映像データ２００，２０１を記録することで、記録ヘッドの最大走査距離は、例えば、映像データ２００を記録終了後に映像データ２０１を記録するために記録ヘッドが映像ブロックデータＡ１０を記録後に映像ブロックデータＢ１を記録する際の走査距離になり、ＭＯディスク４０の記録領域全体を走査する距離の３／５倍になる。
【００３１】
そのため、本実施例のＷ／Ｒ装置３０２によれば、記録ヘッドが連続した映像ブロックデータを記録する際の最大の走査距離を、従来の最大の走査距離である記録領域全体を走査する距離の３／５倍に短縮できる。このように映像ブロックデータを記録領域のブロック記録領域に記録したことで、記録した映像データの再生を行う場合にも、再生ヘッドが連続した映像ブロックデータを走査する際の最大走査距離を従来の３／５倍に短縮できる。
【００３２】
また、このように連続する映像ブロックデータを記録および再生する際の最大の走査距離を従来の３／５倍にできることから、映像データの連続性を保証するために用いられるバッファメモリの容量も３／５倍に縮小化できる。
【００３３】
本発明は上述した実施例には限定されない。例えば、上述した実施例では、Ｗ／Ｒ装置３０２が映像データを１０個の映像ブロックデータに分割し、ＭＯディスク４０の記録領域を５個のブロック記録領域に分割して記録を行う場合について例示したが、映像データおよび記録領域の分割の数は任意である。
また、上述した実施例では、Ｗ／Ｒ装置３０２が連続した映像ブロックデータを隣または２つ離れたブロック記録領域に配置したが、連続するブロックデータの一方が最外周あるいは最内周のブロック領域に記録されたときを除いて、３つ以上離れたブロック記録領域に記録してもよい。
また、上述した実施例では、記録媒体としてＣＡＶ方式の記録フォーマットをしたＭＯディスク４０について例示したが、本発明が適用される記録媒体は、例えば同心円状のトラックを有するＭＯディスクでもよい。
さらに、本発明が適用される記録媒体は、ＭＯディスク以外の光学式記録媒体あるいは磁気ディスクでもよい。
【００３４】
【発明の効果】
本発明のデータ記録方法およびその装置によれば、記録ヘッドが連続した映像ブロックデータを記録する際の最大の走査距離を短縮化できる。また、再生ヘッドが連続した映像ブロックデータを再生する際の最大の走査距離も短縮化できる。
また、本発明のデータ記録方法およびその装置によれば、記録時および再生時に、映像データの連続性を保証するために用いられるバッファメモリの容量を縮小化できる。
【図面の簡単な説明】
【図１】本発明の第１実施例に用いられる映像信号用サーバーシステムのブロック図である。
【図２】図１に示したデータ蓄積装置の構成を示す図である。
【図３】（Ａ）は第１実施例において記録される映像データを説明するための図、（Ｂ）は第１実施例における映像データの記録領域への記録方法を説明するための図である。
【図４】図２に示すＭＯディスクの記録領域の分割を説明するための図である。
【図５】（Ａ）は第２実施例において記録される映像データを説明するための図、（Ｂ）は第２実施例における映像データの記録領域への記録方法を説明するための図である。
【図６】従来技術の問題点を説明するためのＭＯディスクにおけるデータ記録配置を示す図である。
【符号の説明】
１１・・・  回線交換装置
１６・・・  同期システム制御実行装置
３０・・・  データ蓄積装置
３０２・・・  Ｗ／Ｒ装置
３０４・・・  制御回路
４０・・・  ＭＯディスク
【図１】
0003627263.tif 000002
【図２】
0003627263.tif 000003
【図３】
0003627263.tif 000004
【図４】
0003627263.tif 000005
【図５】
0003627263.tif 000006
【図６】
0003627263.tif 000007